(57)【要約】      （修正有）【課題】ケースの開閉操作のために使用者が指で触れる部位がマスクなどの収納物に触れることがなく、かつ製造が容易な二つ折りケースを提供する。【解決手段】二つ折りケースは、合成樹脂シート製で、中央部で二つ折りされ、二つ折り状態における内側にシート状の物品を入れるポケットを有するケースである。ケースは、基部Ａと、これに被さる被覆部Ｂとを備え、基部Ａの外側縁部にポケットの接着部が形成され、この接着部に係止片３が連設してある。被覆部Ｂの基部に折り筋８が設けてあり、この折り筋８の位置は、ケースの開いた状態における全幅の中心よりも被覆部Ｂの外縁寄りであって、被覆部Ｂの外縁部が係止片３に係止可能な位置としてある。【選択図】図３
0003228250.tif 000002
【実用新案登録請求の範囲】
【請求項１】
合成樹脂シート製で、中央部で二つ折りされ、二つ折り状態における内側にシート状の物品を入れるポケットを有するケースであって、
前記ケースは、基部と、これに被さる被覆部とを備え、
前記基部の外側縁部にポケットの接着部が形成され、この接着部に係止片が連設してあり、
前記被覆部の基部に折り筋が設けられ、
この折り筋の位置は、ケースの開いた状態における全幅の中心よりも被覆部の外縁寄りであって、被覆部の外縁部が前記係止片に係止可能な位置とした、
二つ折りケース。
【請求項２】
基部は、表面シートと、表面シートの被覆部に連続する縁に連設されたポケットシートを有し、
基部における表面シートの外縁に糊代片が連設され、この糊代片と表面シートに重ねて折り返されたポケットシートとが接着され、
前記糊代片に係止片が連設された、
請求項１に記載の二つ折りケース。
【請求項３】
被覆部は、表面シートと、表面シートの基部に連続する縁に連設されたポケットシートを有し、
被覆部における表面シートの外縁に糊代片が連設され、この糊代片と表面シートに重ねて折り返されたポケットシートとが接着された、
請求項１又は２に記載の二つ折りケース。
【請求項４】
ケースの開いた状態における全幅の中心位置に第１の折り筋を備え、この第１の折り筋よりも被覆部の外縁寄りであって、被覆部の外縁部が前記係止片に係止可能な位置に第２の折り筋を備えた、
請求項１ないし３の何れかに記載の二つ折りケース。
【考案の詳細な説明】
【技術分野】
【０００１】
この考案は、マスクや書類などのシート状の物品を収納するための、二つ折りケースに関するものである。
【背景技術】
【０００２】
この種の二つ折りケースの多くは、二つ折りの状態（閉じた状態）を保持するための構造を備えていない。そして、二つ折りの状態を保持するための構造としては、面ファスナーを用いるものや、スリットに係止片を挿入するもの、吸着層を備えるもの（特開2009-12816）等が提案されている。
【先行技術文献】
【特許文献】
【０００３】
【特許文献１】特開2009-12816号公報
【考案の概要】
【考案が解決しようとする課題】
【０００４】
シート状の物品、特にマスクを収納するケースは、ケースからマスクが露出しないことが望まれる。したがって、二つ折りケースであれば、マスクを収納した状態で二つ折りの状態が保持されることが必要である。
また、マスクを収納するケースにおいては、ポケット以外の部位が可及的にマスクに接触しないことが必要である。
【０００５】
面ファスナーを用いた構造においては、素材である合成樹脂シートに面ファスナーを取り付ける必要があり、部品点数が増加してコストがかかる。吸着層を備えるものも、吸着層を設けるための加工が必要である。スリットに係止片を挿入する構造においては、部品点数の増加はなく製造は容易である。しかし、スリットから挿入した係止片がマスクに接触することとなり、この係止片は開閉操作のために使用者が指で触れるので好ましくない。
【０００６】
この考案は、ケースの、開閉操作のために使用者が指で触れる部位がマスクなどの収納物に触れることがなく、かつ製造が容易な二つ折りケースを得ることを課題とするものである。
【課題を解決するための手段】
【０００７】
この考案の二つ折りケースは、合成樹脂シート製で、中央部で二つ折りされ、二つ折り状態における内側にシート状の物品を入れるポケットを有するケースである。前記ケースは、基部と、これに被さる被覆部とを備え、前記基部の外側縁部にポケットの接着部が形成され、この接着部に係止片が連設してある。
前記被覆部の基部に折り筋が設けてあり、この折り筋の位置は、ケースの開いた状態における全幅の中心よりも被覆部の外縁寄りであって、被覆部の外縁部が前記係止片に係止可能な位置としてある。
前記ポケットは、基部と被覆部の双方に設けても、何れか一方のみに設けてもよい。
【０００８】
この考案の二つ折りケースの開いた状態における形状は、収納する物品の形状に適合させて選択するものであり、一般的には横長長方形又は縦長長方形であるが、これに限るものではない。
ケースの素材である合成樹脂シートは、ポリプロピレン製が好ましい。そして、シート状の物品としては、マスク、ハンカチやタオル、書類などがある。また、この二つ折りケースは、生活者が物品を収納するために使用するほか、販売、流通用の包装ケースとして使用することもできる。
【０００９】
前記基部は、表面シートと、表面シートの被覆部に連続する縁に連設されたポケットシートを有し、基部における表面シートの外縁に糊代片を連設し、この糊代片と表面シートに重ねて折り返されたポケットシートとを接着し、前記糊代片に係止片を連設して構成することが好ましい（請求項２）。
また、被覆部も基部と同様に、表面シートと、表面シートの被覆部に連続する縁に連設されたポケットシートを有し、被覆部における表面シートの外縁に糊代片を連設し、この糊代片と表面シートに重ねて折り返されたポケットシートとを接着して構成することが好ましい（請求項３）。
【００１０】
ケースの開いた状態における全幅の中心位置に第１の折り筋を備え、この第１の折り筋よりも被覆部の外縁寄りであって、被覆部の外縁部が前記係止片に係止可能な位置に第２の折り筋を備えた構成にすると、第１の折り筋と第２の折り筋の間にマチを得ることができる。そして、物品を収納せずにケースを二つ折りするときには、第１の折り筋で折り返すことによって、基部と被覆部とを外側縁を一致させて二つ折りすることができ、物品を収納したときには第１及び第２の折り筋で折り返すことによって、被覆部の外側縁部を基部の係止片とポケットシートの間に、整然と挿入し係止することができる。
【考案の効果】
【００１１】
この考案の二つ折りケースは、基部と、これに被さる被覆部とを備え、前記基部の外側縁部にポケットの接着部を形成し、この接着部に係止片を連設してあるので、係止部は基部の外側縁よりも内側に位置する。そして、前記被覆部の基部に設けた折り筋の位置を、ケースの開いた状態における全幅の中心よりも被覆部の外縁寄りであって、被覆部の外縁部が前記係止片に係止可能な位置としてあるので、被覆部の外側縁部を基部の係止片とポケットシートの間に、整然と挿入し係止することができる。
【００１２】
ケースの開いた状態における全幅の中心位置に第１の折り筋を備え、この第１の折り筋よりも被覆部の外縁寄りであって、被覆部の外縁部が前記係止片に係止可能な位置に第２の折り筋を備えた構成にすると、マチを得ることができる。したがって、マスクのように厚みのある物品も無理なく収納することができる。
そして、物品を収納せずにケースを二つ折りするときには、第１の折り筋で折り返すことによって、基部と被覆部とを外側縁を一致させて二つ折りすることができ、物品を収納したときには第１及び第２の折り筋で折り返すことによって、被覆部の外側縁部を基部の係止片とポケットシートの間に、整然と挿入し係止することができる。
【図面の簡単な説明】
【００１３】
【図１】この考案実施例のシートの展開図。
【図２】この考案実施例の開いた状態の平面図。
【図３】同じくマスクを収納した半分閉じた状態の斜視図。
【図４】同じく閉じた状態の斜視図。
【考案を実施するための最良の形態】
【００１４】
以下、この考案をマスク包装用のケースとした実施例を説明する。
【実施例】
【００１５】
図１は二つ折りケースを製造するためのポリプロピレンシートの展開図である。すなわち、横長長方形の表面シート１の一方の外側縁１aに糊代片２、係止片３が順次連設してあり、表面シート１の他方の外側縁１ｂに糊代片４が連設してある。
前記表面シート１の外側縁１a側が基部Ａであり、外側縁１ｂ側が被覆部Ｂである。表面シート１の基部Ａの、表面シート１の被覆部Ｂに連続する縁、すなわち下縁１ｃにポケットシート５が連設してあり、表面シート１の被覆部Ｂの下縁１ｄにポケットシート６が連接してある。
また、前記表面シート１の左右中央に第１の折り筋７が、第１の折り筋６よりも長さＬ１だけ外側縁１ｂ寄りに第２の折り筋８が設けてある。前記長さＬ１は前記糊代片２の幅Ｌ２と同等である。
【００１６】
前記ポケットシート５、６を折り返して表面シート１に重ね合わせ、糊代片２、４を折り返して各ポケットシート５、６に重ね、両者をメルト貼９によって接着して、二つ折りケースを構成する。
【００１７】
以下、図２ないし図４に基づいて、使用方法を説明する。
使用前においては、第１の折り筋７に沿って折り返し、基部Ａに被覆部Ｂを重ね合わせる。第１の折り筋７は表面シート１の左右中央であるから、基部Ａの外側縁１ａと被覆部Ｂの外側縁１ｂとは一致し、基部Ａと被覆部Ｂとはぴったりと重なり合う。したがって、最小の平面面積で保管することができる。
【００１８】
マスクＰを収納するとき、マスクＰの両側を表面シート１とポケットシート５、６の間に差し込み、表面シート１を第１の折り筋７、第２の折り筋８で折り曲げる。このとき、二つの折り筋７、８の間にマチが形成されるので、マスクＰを折り返して生じる折り返し部の厚みはマチで吸収され、マスクを収納した表面シート１は無理なく折り返すことができる。
次いで、被覆部Ｂの外側縁１ｂ側を基部Ａのポケットシート５と係止片３の間に差し込む。ここで、第１の折り筋７と第２の折り筋８との間の距離Ｌ１は糊代片２の幅Ｌ２と同等にしてあるので、被覆部Ｂの幅は基部Ａの幅（図における左右寸法）よりも糊代片２の幅Ｌ２だけ短い。したがって、被覆部Ｂの外側縁１ｂは糊代片２の縁に突き当たった状態で係止片３に係止する。そのために、係止状態において被覆部Ｂにたわみが生じることがない。
【００１９】
ちなみに、中央の第１の折り筋７のみを設けた場合には、マチを得ることができないためにマスクＰの折り返し部の厚みに対応することができず、加えて基部Ａの外側縁１ａに対応する位置にある被覆部Ｂの外側縁１ｂが、対応位置まで挿入できずに糊代片２の縁部に留まるので（長さＬ１が余る）、被覆部Ｂにおいて表面シートは外側に湾曲してしまう。
【００２０】
この実施例のケースにマスクＰを収納したとき、マスクＰの表裏面は表面シート１、ポケットシート５、６で被覆され、二つ折りにすることによってマスクがケースから露出することがない。そして、係止状態において被覆部Ｂの外側縁部１ｂは基部Ａの表面シート１と係止片３の間に挿入されるので、外側縁部１ｂがマスクに接触することはない。
したがって、表面シート１及びポケットシート５、６の表面（露出面）は清潔な状態に保持される。
【００２１】
この実施例では、二つの折り筋の間隔Ｌ１と糊代片の幅Ｌ２とを同等としたが、同等でなくともよい。Ｌ１がＬ２よりも大きければ被覆部Ｂにおいて表面シートは外側に湾曲することはない。ただし、係止片３に係止し得る寸法とすることは必要である。
この実施例では折り筋を２本設けたのでマチを得ることができる。そこで、このケースを商品包装用に使用するときは、マチに商品名などを記載し、商品展示の際に利用することができる。
【産業上の利用可能性】
【００２２】
この考案は、二つ折りケースにおいて、二つ折りした状態でのひずみを解消し、かつ簡易な構造で係止部における収納物との接触を回避できるものであって、産業上の利用可能性を有するものである。
【符号の説明】
【００２３】
１    表面シート
１ａ、１ｂ    外側縁
２、４    糊代片
３    係止片
５、６    ポケットシート
７    第１の折り筋
８    第２の折り筋
９    メルト貼
Ａ    基部
Ｂ    被覆部
Ｐ    マスク
【図１】
0003228250.tif 000003
【図２】
0003228250.tif 000004
【図３】
0003228250.tif 000005
【図４】
0003228250.tif 000006